(57)【要約】【課題】白地にカラー画像を印刷する様式のパッケージ印刷におけるリモートプルーフィングを、廉価なインクジェット方式により高精度に実現可能なインクジェット記録方法、及びその方法によって得られた印刷物を提供する。【解決手段】インクジェット記録方法は、フィルム基材Ｓの表面上に白色ベタ塗り層Ｗを設けた後に、その白色ベタ塗り層Ｗの上から非白色パターン層Ｐを設ける方法であって、前記白色ベタ塗り層用インクが多孔質無機顔料を含有していることを特徴とする。印刷物は、前記の方法によって得られる。【選択図】図１
2008200854.tif 000002
【特許請求の範囲】
【請求項１】
フィルム基材の表面上に白色ベタ塗り層を設けた後に、その白色ベタ塗り層の上から非白色パターン層を設けるインクジェット記録方法であって、前記白色ベタ塗り層用インクが多孔質無機顔料を含有していることを特徴とする、前記記録方法。
【請求項２】
前記多孔質無機顔料が二酸化チタンである、請求項１に記載の方法。
【請求項３】
前記非白色パターン層が、カラー層又は黒色ないし灰色層である、請求項１又は２に記載の方法。
【請求項４】
フィルム基材の表面上に設けた非白色パターン層の全体を覆うように白色ベタ塗り層を設ける、請求項１〜３のいずれか一項に記載の方法。
【請求項５】
請求項１〜４のいずれか一項に記載の方法によって得られた印刷物。
【発明の詳細な説明】
【技術分野】
【０００１】
本発明は、パターン層（特に、カラーパターン層）と白色ベタ塗り層とを記録するインクジェット記録方法、及びその記録方法によって得られた印刷物に関する。本発明によれば、白地にカラー画像を印刷する様式のパッケージ印刷におけるリモートプルーフィングを、廉価なインクジェット方式により高精度に実現することができる。
【背景技術】
【０００２】
お菓子類などの商品の包装では、包装用の紙製外箱を透明フィルムで覆い、その透明フィルムの一部分又は全体に、白地にカラー画像を配置した印刷を施すことが広く行われている。あるいは、包装用プラスチック製袋体の表面に、白地にカラー画像を配置した印刷を施すことも広く行われている。これらの印刷には、通常、オフセット印刷やフレキソ印刷が利用されている。
印刷業界では、高品質化だけでなくコストダウンや納期短縮が厳しく求められており、デザイン確定から本機印刷の開始に至るまで、デジタルデータの利用が進んでいる。例えば、印刷物製作のワークフローは、入稿データの作成、ＤＤＣＰ（Direct Digital Color
Proofing）による校正、ＣＴＰ（Computer To Plate）による刷版制作、及び本機印刷の順に工程が進行し、入稿データを確定するために行うＤＤＣＰ校正作業でも、電子メールによるデジタルデータの送付が頻繁に行われている。
前記ＤＤＣＰ校正作業では、デジタルデータを電子メールで受領した校正者やデザイン発注者がコンピュータ画面上で校正作業や確認作業を行うだけでなく、実際に用紙に印刷を行って校正や確認を行うことがある。この場合の出力方式には、インクジェット方式、トナー方式、熱転写方式、あるいは網点方式などが用いられているが、白地にカラー画像を配置した印刷においては、最も廉価なインクジェット方式では、必ずしも満足な出力品質を得ることができないという問題があった。
【０００３】
一方、インクジェット記録用の白色インクとしては、二酸化チタンを含有するインクが提案されている（例えば、特許文献１〜特許文献９）。しかしながら、これらの二酸化チタン含有白色インクをインクジェット方式によるリモートプルーフィングに用いることは、従来全く提案されていない。
【０００４】
【特許文献１】特開昭６０−１１８７６７公報
【特許文献２】特開平６−１４５５７０公報
【特許文献３】特開平４−２７７５６６公報
【特許文献４】特開平１１−３４３４４３公報
【特許文献５】特開平８−１１３７４６公報
【特許文献６】特開平３−２１６３７９公報
【特許文献７】特開平５−１８６７２５公報
【特許文献８】特開２００２−３４８５１３公報
【特許文献９】特開２００３−２５３１７０公報
【発明の開示】
【発明が解決しようとする課題】
【０００５】
本発明者は、白地にカラー画像を配置した印刷物（例えば、オフセット印刷物）のリモートプルーフィングを実施する際の出力方式としてインクジェット方式を利用して、高品質の画像を得る方法を鋭意研究していたところ、前記白色ベタ塗り層用インクに多孔質無機顔料を含有させることによって、目的を達成することができることを見出した。
本発明は、こうした知見に基づくものである。
【課題を解決するための手段】
【０００６】
従って、本発明は、フィルム基材の表面上に白色ベタ塗り層を設けた後に、その白色ベタ塗り層の上から非白色パターン層を設けるインクジェット記録方法であって、前記白色ベタ塗り層用インクが多孔質無機顔料を含有していることを特徴とする、前記記録方法に関する。
【０００７】
本発明方法の好ましい態様においては、前記多孔質無機顔料が二酸化チタンである。
本発明方法の別の好ましい態様においては、前記非白色パターン層が、カラー層又は黒色ないし灰色層である。
本発明方法の更に別の好ましい態様においては、フィルム基材の表面上に設けた非白色パターン層の全体を覆うように白色ベタ塗り層を設ける。
また、本発明は、前記記録方法によって得られた印刷物にも関する。
【発明の効果】
【０００８】
本発明の記録方法によれば、きれいな白地にカラー画像が映える高品質の印刷を得ることができるだけでなく、カラー画像上に白地インクがあふれて品質が落ちる現象が起きることもない。また、例えば、ＤＤＣＰ校正作業に求められている印刷品質を充分に満足する印刷物を提供することができる。
【０００９】
本発明の記録方法では、例えば、図１に示すように、フィルム基材Ｓの上に、白色ベタ塗り層Ｗ及び非白色パターン層Ｐをインクジェット記録方式によって順々に設けて印刷画像を形成し、その印刷画像を、図１の矢印Ａで示すように、フィルム基材Ｓの印刷面側から観察し、例えば、ＤＤＣＰ校正作業を実施する。
【００１０】
本発明方法で使用することのできるフィルム基材の材料としては、例えば、ポリエステルフィルム、ポリオレフィンフィルム、又はポリ塩化ビニル等の樹脂フィルム、普通紙、コート紙、又はトレーシングペーパー等の紙、樹脂被覆紙、あるいは合成紙を挙げることができる。
【００１１】
本発明方法においては、白色ベタ塗り層用の白色インク組成物として、インクジェット記録方法において通常使用されている任意の多孔質無機顔料含有白色インク組成物を用いることができる。
多孔質無機顔料としては、例えば、コロイダルシリカ、アルミナゾル、ベーマイトゾル、合成微粒子シリカ、合成微粒子アルミナシリケート、気相法合成シリカ、ゼオライト、モンモリロナイト群鉱物、バイデライト群鉱物、サポナイト群鉱物、ヘクトライト群鉱物、スチーブンサイト群鉱物、ハイドロタルサイト群鉱物、スメクタイト群鉱物、ベントナイト群鉱物、炭酸カルシウム、炭酸マグネシウム、硫酸カルシウム、硫酸バリウム、二酸化チタン、チタンゾル、酸化亜鉛、炭酸亜鉛、珪酸アルミニウム、珪酸カルシウム、珪酸マグネシウム、カオリン、タルク、酸化アルミニウム、水酸化アルミニウム、ポリ水酸化アルミニウム化合物、アルミナ水和物、プラスチックピグメント、尿素樹脂顔料、セルロース粒子、澱粉粒子、クレー、サチンホワイトなどが挙げられ、中でも、コロイダルシリカ、アルミナゾル、ベーマイトゾル、合成微粒子シリカ、又は二酸化チタンが好ましい。
【００１２】
本発明方法で用いる白色インク組成物中の多孔質無機顔料の含有量は、例えば、５〜２０重量％とすることができる。多孔質無機顔料の含有量を５重量％以上にすると、充分な白色度を得ることができる。一方、２０重量％以下にすると、インクジェット印刷用インク組成物に要求される粘度を確保するために必要なインクバインダー樹脂成分を充分な量で含有させることができ、その結果として、充分な印字密着性を確保することができる。
【００１３】
本発明方法で用いる白色インク組成物は、多孔質無機顔料の他に、インクジェット印刷用インク組成物に通常含有される種々の成分、例えば、樹脂成分、分散剤成分、溶媒成分（特に水）などを含有することができる。また、多孔質無機顔料を白色着色剤として含有する白色インク組成物としては、例えば、特開２００２−３４８５１３公報（特許文献８）又は特開２００３−２５３１７０公報（特許文献９）に記載の組成物を用いることもできる。
【００１４】
本発明方法で用いる非白色パターン層用の非白色インク組成物は、例えば、カラーインク組成物、黒色インク組成物、又は灰色インク組成物である。また、カラーインク組成物としては、例えば、シアンインク組成物、マゼンタインク組成物、イエローインク組成物、あるいはライトシアンインク組成物、ライトマゼンタインク組成物、更には、レッドインク組成物、グリーンインク組成物、又はブルーインク組成物等を挙げることができる。非白色インク組成物は、前記の各種インク組成物を１種又は２種以上の組合せで用いることができる。
【００１５】
非白色インク組成物としては、インクジェット記録方法において通常使用されている任意の非白色インク組成物を用いることができ、着色剤成分として染料又は顔料を含有する水系インク組成物を用いることが好ましい。特に、透明フィルム基材又はインク受容層に対して良好な特性（例えば、発色性や定着性）を示すインク組成物を用いることが好ましい。
【００１６】
本発明方法において、白色ベタ塗り層は、多孔質無機顔料を含有しているので、その白色ベタ塗り層の上から印字される非白色パターン層に対してインク受容層としての作用を示すことになる。従って、白色ベタ塗り層を高濃度で印字した後に、更に高濃度の非白色パターン層を印字しても、非白色パターン層のインクが白色ベタ塗り層上の溢れることがない。こうして、濃厚な白地の上に高濃度のカラーパターンを有する高品位の印刷物を得ることができる。
【００１７】
本発明方法は、白地にカラー画像を配置した印刷物（例えば、オフセット印刷物）のリモートプルーフィングで、実際に用紙に印刷を行って校正や確認を行う場合に好適に利用することができる。また、一般的に、白地にカラー画像を配置した印刷物を透明フィルム基材の表面上に設け、非印刷面から観察する印刷方法に広く利用することができる。
【実施例】
【００１８】
以下、実施例によって本発明を具体的に説明するが、これらは本発明の範囲を限定するものではない。
【００１９】
＜実施例１＞
インクジェットプリンタ〔ＰＸ−Ａ６５０；セイコーエプソン（株）製〕を２台用意した。１台はカラー出力用プリンタとして、純正インクカートリッジを装填したプリンタをそのまま用いた。もう１台は白出力用プリンタとした。すなわち、黒用インクカートリッジに白インクを充填させ、通常、黒インクカートリッジが装着される部分に、前記の白インクカートリッジを装着させて使用した。なお、白インクとしては、水に二酸化チタン１２０重量部及びバインダー樹脂２０重量部（ＰＶＡ  Ｒ１１３０；クラレ製）を添加して分散させて調製した白インク（固形分濃度１７％）を使用した。また、記録媒体としては、ポリエチレンテレフタレート（ＰＥＴ）フィルム基材を用いた。
【００２０】
最初に、白出力用プリンタを用いて、前記フィルム基材に、白地部分を出力させ、数分間放置して乾燥させた。この白地印刷では、後に印刷するカラー画像部分全体をその白地部分に載せることができるように印刷した。続いて、カラー出力用プリンタを用いて、前
記白地部分上に、カラー画像を出力させ、非白色パターン層を設けた。非白色パターン層の記録解像度は１４４０×７２０ｄｐｉであった。
得られた印刷画像を前記インクジェット用透明フィルムの印刷面から観察すると、白色度が極めて高く、特にカラー画像のない白抜きの部分の白さが優れていた。また、カラー画像の解像度が高いことから、カラー画像が鮮やかで、且つ、繊細に見ることができた。
【産業上の利用可能性】
【００２１】
本発明方法は、例えば、白地にカラー画像を印刷する様式のパッケージ印刷におけるリモートプルーフィングを、廉価なインクジェット方式により高精度に実現することができる。
【図面の簡単な説明】
【００２２】
【図１】本発明方法によりフィルム基材上に形成される印刷画像の層状構造を模式的に示す断面図である。
【符号の説明】
【００２３】
Ｓ・・・フィルム基材；Ｐ・・・非白色パターン層；Ｗ・・・白色ベタ塗り層。
【図１】
2008200854.tif 000003